(57)【要約】【課題】  デジタル回線上の障害区間を、通常時はユーザ間の通信に影響を与えることなく、回線障害時には回線上に配置された１装置の入力信号と出力信号から障害区間を判定する。【解決手段】  本願は、“0”連続及び”1”連続をシフトレジスタの状態に依らず”1”連続以外にスクランブルする多項式を持つ、スクランブラ、及びデスクランブラを当該回線に配置し、デスクランブラの入力信号が”1”連続であれば障害区間がスクランブラとデスクランブラの間に存在すると判定し、デスクランブラの出力信号が”1”連続であればスクランブラ以遠に障害区間が存在すると判定する障害区間判定システムである。【選択図】図１
2005117607.tif 000002
【特許請求の範囲】
【請求項１】
障害区間判定システムであって、
データ送信端末とデータ受信端末間に、”１”連続入力時にシフトレジスタの内容に依らず”1”連続以外を出力する多項式を持つスクランブラを配置し、
また、当該スクランブラと同一の多項式を持つデスクランブラを、当該スクランブラと当該データ受信端末の間に配置し、
デスクランブラの入力信号が”1”連続であれば当該スクランブラと当該デスクランブラの間に障害区間が存在すると判定し、
デスクランブラの出力信号が”1”連続であれば当該スクランブラと当該データ送信端末の間に障害区間が存在すると判定することを特徴とする、障害区間判定システム。
【請求項２】
スクランブル装置であって、
入力された受信信号中に、一定期間”0”連続を検出した場合に、”0”連続検出信号を出力する”0”連続検出手段と、
当該受信信号を、”1”連続をシフトレジスタの状態に依らずに”1”連続以外にスクランブルする多項式によりスクランブルして、スクランブル信号として出力するスクランブル手段と、
”0”連続検出手段から入力された検出信号の状態に応じて、当該受信信号と当該スクランブル信号のいずれかを送信信号として出力する送信信号選択手段と、を備えていることを特徴とするスクランブル装置。
【請求項３】
デスクランブル装置であって、
入力された受信信号中に、一定期間”1”連続を検出した場合に、入力”1”連続検出信号を出力する入力”1”連続検出手段と、
当該受信信号を、”1”連続をシフトレジスタの状態に依らずに”1”連続以外にスクランブルする多項式によりデスクランブルして、送信信号として出力するデスクランブル手段と、
デスクランブル手段から入力された送信信号中に、一定期間”1”連続を検出した場合に、出力”1”連続検出信号を出力する出力”1”連続検出手段と、を備えていることを特徴とするデスクランブル装置。
【請求項４】
請求項２のスクランブル装置において、
当該受信信号中に、第１の信号パターンを検出した場合に、PN１検出信号を出力するPN1検出手段と、
当該受信信号中に、第２の信号パターンを検出した場合に、PN２検出信号を出力するPN２検出手段とをさらに備え、
送信信号選択手段が、”0”連続検出手段から入力された”0”連続検出信号と、PN１検出手段から入力されたPN１検出信号と、PN２検出手段から入力されたPN２検出信号の状態に応じて、受信信号とスクランブル信号のいずれかを送信信号として出力することを特徴とするスクランブル装置。
【請求項５】
請求項３のデスクランブル装置において、
デスクランブル手段が、入力された受信信号をデスクランブルしてデスクランブル信号として出力し、さらに、
当該受信信号中に、第１の信号パターンを検出した場合に、PN１検出信号を出力するPN1検出手段と、
当該受信信号中に、第２の信号パターンを検出した場合に、PN２検出信号を出力するPN２検出手段と、
当該受信信号中に、一定期間”0”連続を検出した場合に、”0”連続検出信号を出力する”0”連続検出手段と、
”0”連続検出手段から入力された”0”連続検出信号と、PN１検出手段から入力されたPN１検出信号と、PN２検出手段から入力されたPN２検出信号の状態に応じて、当該受信信号と当該デスクランブル信号のいずれかを送信信号として出力する送信信号選択手段を備えていることを特徴とするデスクランブル装置。
【請求項６】
第１の信号パターンを出力するPN１発生手段と、
第２の信号パターンを出力するPN2発生手段と、
転送選択信号と、請求項５のデスクランブル装置のPN1検出信号と、請求項５のデスクランブル装置のPN２検出信号の状態に応じて、入力された受信信号と、PN１発生手段から入力された第１の信号パターンと、PN２発生手段から入力された第２の信号パターンのいずれかを送信信号として出力する転送信号選択手段と、を備えていることを特徴とするデジタル信号パターン発生装置。
【請求項７】
請求項２乃至６のいずれかのスクランブル装置、デスクランブル装置、またはデジタル信号パターン発生装置を、障害区間判定手段として備えていることを特徴とするデータ伝送装置。
【請求項８】
請求項１の障害区間判定システムにおいて、スクランブラに代えて請求項２または４のスクランブル装置を、かつ、デスクランブラに代えて請求項３または５のデスクランブル装置を配置していることを特徴とする障害区間判定システム。
【請求項９】
請求項１の障害区間判定システムにおいて、スクランブラに代えて請求項４のスクランブル装置を配置し、また、デスクランブラに代えて請求項５のデスクランブル装置を配置し、かつ、データ送信端末とデータ受信端末間に請求項６の信号パターン発生装置をさらに配置していることを特徴とする障害区間判定システム。
【発明の詳細な説明】
【技術分野】
【０００１】
本願は、障害区間判定システムに関するものであって、さらに詳しくは、デジタル回線の障害区間を判定することを可能とするシステムに関するものである。
【背景技術】
【０００２】
従来、デジタル伝送路における障害通知信号としては、ＩＴＵ−Ｔ勧告のＧシリーズに述べられているＡＩＳ(Alarm Indication Signal)という信号が知られている。これは、多重化伝送路において、高次群伝送路で同期はずれ障害が発生したときに、低次群伝送路にフレーム信号なしの”1”連続を送出し、低次群伝送路終端装置が高次群伝送路の障害を認識するものである。
【０００３】
時分割多重を用いたデジタル回線においては、時分割多重装置を介して接続される回線の相互間には、次群の高低の概念が無いためＡＩＳも無い。しかしながら時分割多重においても、障害によって送出する信号が無になっている場合には、フレーム信号を付与し、回線部分のタイムスロットに”1”を送出するのが慣用技術である。
【０００４】
よって、デジタル回線のユーザは、”1”連続を受信することにより、障害を検出することはできる。
【０００５】
しかし該ユーザは、障害区間を判定することはできない。例えば、送信側のユーザが宅内でデータ送信端末を外した場合の障害、即ち通信事業者の責任区間外に障害区間を有する障害と、ネットワーク内の障害、即ち通信事業者の責任区間内に障害区間を有する障害は、ともに”1”連続を受信するので区別がつかない。
【０００６】
これは該ユーザが、サービス品質のモニタ、即ち通信事業者の債務履行を確認する上で大きな障壁である。つまり通信事業者の責任区間の内外の区別がつけられない。近年ユーザは、通信事業者の責任区間において障害が発生した場合には、その分の料金返還を求めるSLAという契約形態を積極的に通信事業者に求めている。
【０００７】
一方、今日のデジタル回線の構成を見ると、複数の事業者をまたがるいわゆる相互接続の例が多い。これには旧寡占企業の分離分割、電気通信事業への参入者の急激な増加、敷設光ファイバの過剰供給などの社会的背景が理由としてあげられる。
【０００８】
相互接続においては、接続先事業者の状態監視は不可能であり、ネットワーク運用情報一般は、ほとんど電話、電子メールなどの問合せによってしか入手できない。通信装置の状態等を示す監視情報は、各事業者の監視体制の下に閉じられているからである。
【０００９】
通信事業者間であっても、上記問合せの回答によって得た情報には抽象的内容や主観的内容が多く含まれ、通信機器の履歴データの様な客観的な情報を入手することが非常に困難であり、結果として障害区間判定は困難である。
【発明の開示】
【発明が解決しようとする課題】
【００１０】
以上のような問題に鑑み、本願では、デジタル回線の障害区間判定が可能となるシステムを提供することを目的とする。より特定すれば、通常時にはユーザ間の通信に影響を与えることなく、障害時には回線上に配置された１装置の入力と出力の状態に応じて、障害区間判定を可能とするシステムを提供することを目的とする。
【課題を解決するための手段】
【００１１】
上記課題を解決するために、本願の障害区間判定システムは、上記の課題を解決するものとして、デジタル回線の障害区間判定システムであって、送信端末と受信端末間の回線上に、”１”連続入力時にシフトレジスタの内容に依らず”1”連続以外を出力する多項式を持つスクランブラを配置し、また、当該スクランブラと同一の多項式を持つデスクランブラを、当該スクランブラと受信端末の間の回線上に配置し、デスクランブラの入力信号が”1”連続であれば当該スクランブラと当該デスクランブラの間に障害区間が存在すると判定し、デスクランブラの出力信号が”1”連続であれば当該スクランブラと送信端末の間に障害区間が存在すると判定することを特徴とする。
【００１２】
回線上の１装置であるデスクランブラの入力と出力に注目することにより、障害区間を判定することが可能となる。
【００１３】
なお、”1”連続の入力信号に対して出力信号をシフトレジスタの状態に依らず”1”連続以外になるような多項式とは、例えば１＋X-2＋X-7＋X-8などがある。
【００１４】
また、本願のスクランブル装置は、当該回線から入力された受信信号に一定期間”0”連続を検出した場合に検出信号を出力する”0”連続検出手段と、当該回線から入力された受信信号をスクランブルしてスクランブル信号として出力するスクランブラと、”0”連続検出手段からの検出信号の入力が無い場合には当該スクランブル信号を、”0”連続検出手段からの検出信号の入力がある場合には当該受信信号を送信信号として選択して当該デジタル回線に出力する送信信号選択手段を持ち、かつ当該スクランブラに用いる多項式にあっては、”1”連続の入力信号に対して出力信号をシフトレジスタの状態に依らず”1”連続以外になることを特徴とする。
【００１５】
”1”連続の入力信号に対して出力信号をシフトレジスタの状態に依らず”1”連続以外になるような多項式は、例えば１＋X-2＋X-7＋X-8などがあるが、シフトレジスタの状態によっては、”0”連続が”1”連続にスクランブルされることが有り得る。”0”連続が”1”連続にスクランブルされることを避け、障害区間の誤判定を回避する。
【００１６】
また、本願のデスクランブル装置は、当該回線から入力された受信信号に一定期間”1”連続を検出した場合に入力”1”連続検出信号を出力する入力”1”連続検出手段と、当該回線から入力された受信信号をデスクランブルして送信信号としてデジタル回線に出力するデスクランブラと、当該送信信号に一定期間”1”連続を検出した場合に出力”1”連続検出信号を出力する出力”1”連続検出手段を備えることを特徴とする。
【００１７】
また、本願のスクランブル装置は、上記スクランブル装置において、当該受信信号中に、第１の信号パターンを検出した場合に、PN１検出信号を出力するPN1検出手段と、当該受信信号中に、第２の信号パターンを検出した場合に、PN２検出信号を出力するPN２検出手段とをさらに備え、送信信号選択手段が、”0”連続検出手段から入力された”0”連続検出信号と、PN１検出手段から入力されたPN１検出信号と、PN２検出手段から入力されたPN２検出信号の状態に応じて、受信信号とスクランブル信号のいずれかを送信信号として出力することを特徴とする。
【００１８】
また、本願のデスクランブル装置は、上記デスクランブル装置において、デスクランブル手段が、入力された受信信号をデスクランブルしてデスクランブル信号として出力し、さらに、当該受信信号中に、第１の信号パターンを検出した場合に、PN１検出信号を出力するPN1検出手段と、当該受信信号中に、第２の信号パターンを検出した場合に、PN２検出信号を出力するPN２検出手段と、当該受信信号中に、一定期間”0”連続を検出した場合に、”0”連続検出信号を出力する”0”連続検出手段と、”0”連続検出手段から入力された”0”連続検出信号と、PN１検出手段から入力されたPN１検出信号と、PN２検出手段から入力されたPN２検出信号の状態に応じて、当該受信信号と当該デスクランブル信号のいずれかを送信信号として出力する送信信号選択手段を備えていることを特徴とする。
【００１９】
また、本願のデジタル信号パターン発生装置は、第１の信号パターンを出力するPN１発生手段と、第２の信号パターンを出力するPN2発生手段と、転送選択信号と、請求項５のデスクランブル装置のPN1検出信号と、請求項５のデスクランブル装置のPN２検出信号の状態に応じて、入力された受信信号と、PN１発生手段から入力された第１の信号パターンと、PN２発生手段から入力された第２の信号パターンのいずれかを送信信号として出力する転送信号選択手段を備えていることを特徴とする。
【００２０】
また、本願のデータ伝送装置は、上記のいずれかのスクランブル装置、デスクランブル装置、またはデジタル信号パターン発生装置を、障害区間判定手段として備えていることを特徴とする。
【００２１】
また、本願の障害区間判定システムは、上記の障害区間判定システムにおいて、スクランブラに代えて上記のいずれかのスクランブル装置を、かつ、デスクランブラに代えて上記のいずれかのデスクランブル装置を配置したことを特徴とする。
【００２２】
また、さらに本願の障害区間判定システムは、上記の障害区間判定システムにおいて、スクランブラに代えて、PN1検出手段およびPN2検出手段を持つ上記スクランブル装置を配置し、またデスクランブラに代えてPN1検出手段およびPN2検出手段を持つ上記デスクランブル装置を配置し、かつ、データ送信端末とデータ受信端末間に上記デジタル信号パターン発生装置をさらに配置した障害区間判定システムを提供する。
【発明の効果】
【００２３】
本願においては、１装置、すなわちデスクランブラ、またはデスクランブル装置の入力信号と出力信号の”1”連続の状態のみを障害区間の判定の根拠とし、一元的な履歴データによって各事業者、ユーザの責任区間の品質を規定することが可能となる。
【００２４】
本願においては、シフトレジスタによるスクランブラとデスクランブラを用いているので、複雑なプロトコルを必要とせず、簡易な開発で高速な処理が可能となる。
【００２５】
一般的なスクランブラを用いると、”0”連続入力時に”1”連続を出力してしまうことがあるが、本願においては、”0”連続入力時に”0”連続を出力するようなスクランブラを用いることにより、障害区間の誤判定を回避することが可能となる。
【００２６】
本願においては、”1”連続入力時にシフトレジスタの状態に依らず”1”連続以外の信号を出力するような多項式を持つスクランブラを用いることにより、障害区間の誤判定を回避することが可能となる。
【００２７】
本願においては、障害が発生していない時はスクランブル装置とデスクランブル装置がセットとなって動作し、ユーザ間の原信号は何の影響も受けない。
【００２８】
本願においては、帯域外に補助的な保守回線などを一切必要としない。
【００２９】
本願においては、スクランブル装置とデスクランブル装置の処理を中止して、トランスペアレントな伝送を実現したい場合には、特定の信号パターンを帯域内に送出することにより、機能停止を可能としている。また同時に別の特定信号パターンによって機能開始を可能としている。これにより、物理的に撤去する必要なく簡易に機能の停止、開始が可能である。
【００３０】
本願においては、上記信号パターン発生器をスクランブル装置に内蔵することにより、簡易に、回線に挿入されたままで、スクランブル装置とデスクランブル装置の機能の停止、開始を可能とする。
【００３１】
本願においては、遠隔のデスクランブル装置が機能停止となるべき信号パターンを検出したときに、そのデスクランブル装置から出力される信号パターン検出信号を反対方向のスクランブル装置の信号パターン送出の起動信号として転用することにより、回線上の全てのスクランブル装置・デスクランブル装置の機能の停止、開始を、簡易に、装置が回線に挿入されたままで可能とする。
【発明を実施するための最良の形態】
【００３２】
以下、本願の最良の実施形態について、詳細に説明する。
【００３３】
本願の障害区間判定システムにおいては、スクランブラとデスクランブラをデータ送信端末とデータ受信端末間に配置し、当該デスクランブラの入力信号と出力信号に注目し、当該入力信号中に一定期間”1”連続を検出すれば、当該スクランブラと当該デスクランブラ間が障害区間であると判定し、当該出力信号に一定期間”1”連続を検出すれば、当該データ送信端末と当該スクランブラ間が障害区間であると判定する。
【００３４】
前記判定に要する”1”連続検出のための期間は、現実的に必要となる障害検出時間として、数十ミリ秒から数百ミリ秒が適当である。
【００３５】
図１は、本願の障害区間判定システムにおけるスクランブラとデスクランブラの配置を図示したものである。データ送信端末１１から送信されたデータは、スクランブラ１２でスクランブルされたスクランブル信号となってデスクランブラ１３に到達し、原信号にデスクランブルされ、データ受信端末１４に受信される。
【００３６】
本願の障害区間判定システムにおいては、スクランブラとデスクランブラの配置位置は特定されるものではないが、好適な例としては、デスクランブラはデータ受信端末近傍に配置する。
【００３７】
本願の障害区間判定システムにおいては、通信事業者が複数存在する、いわゆる相互接続の回線を障害区間判定の対象とする場合、通信事業者の責任分界点にスクランブラを設置すれば、通信事業者間の責任区間を特定する点から、非常に有効である。
【００３８】
本願の障害区間判定システムにおいては、特定する障害区間数を増やすために、スクランブラとデスクランブラを複数セットすることも可能である。
【００３９】
本願の障害区間判定システムにおいては、スクランブラとデスクランブラの多項式が、”1”連続の入力を”1”連続以外にスクランブルして出力するような多項式であることが必要である。例えば１＋X-2＋X-7＋X-8などである。
【００４０】
図２は、本願の障害区間判定システムを実現させるスクランブラについて、多項式に１＋X-2＋X-7＋X-8を使用した場合の構成について示した概要図である。
【００４１】
図３は、本願の障害区間判定システムを実現させるデスクランブラについて、多項式に１＋X-2＋X-7＋X-8を使用した場合の構成について示した概要図である。
【００４２】
図４は、本願の障害区間判定システムを実現させるスクランブル装置の構成について示した概要図である。入力された受信信号中に、一定期間”0”連続を検出した場合に、”0”連続検出信号を出力する”0”連続検出手段４２と、当該受信信号を、”1”連続をシフトレジスタの状態に依らずに”1”連続以外にスクランブルする多項式によりスクランブルして、スクランブル信号として出力するスクランブル手段４１と、”0”連続検出手段から入力された検出信号の状態に応じて、当該受信信号と当該スクランブル信号のいずれかを送信信号として出力する送信信号選択手段４３を持つ。
【００４３】
前記スクランブラに、1”連続以外にスクランブルして出力するような前記多項式を用いても、”0”連続が入力された場合に”1”連続を出力する場合がある。よって送信信号選択手段４３においては、”0”連続検出信号の入力があった場合には、受信信号を送信信号として選択することで、実質的にスクランブルを中止する。当該スクランブル中止により、”1”連続を出力することを回避し、対向するデスクランブラの入力信号に”1”連続が検出されることを回避し、結果として、障害区間の誤判定が回避される。
【００４４】
前記”0”連続を検出するのに必要な期間とは、現実的には数ミリ秒が好適である。
【００４５】
図５は、本願の障害区間判定システムを実現させるデスクランブル装置の構成について示した概要図である。入力された受信信号中に、一定期間”1”連続を検出した場合に、入力”1”連続検出信号を出力する入力”1”連続検出手段５２と、当該受信信号を、”1”連続をシフトレジスタの状態に依らずに”1”連続以外にスクランブルする多項式によりデスクランブルして、送信信号として出力するデスクランブル手段５１と、デスクランブル手段から入力された送信信号中に、一定期間”1”連続を検出した場合に、出力”1”連続検出信号を出力する出力”1”連続検出手段５３を備えたデスクランブル装置の構成について示した概要図である。
【００４６】
図６は、前記のスクランブル装置に、さらに当該受信信号第１の信号パターンを検出した場合に、PN１検出信号を出力するPN1検出手段６２と、当該受信信号中に、第２の信号パターンを検出した場合に、PN２検出信号を出力するPN２検出手段６３とを備え、送信信号選択手段６１が、”0”連続検出手段４２から入力された”0”連続検出信号と、PN１検出手段６１から入力されたPN１検出信号と、PN２検出手段６２から入力されたPN２検出信号の状態に応じて、受信信号とスクランブル信号のいずれかを送信信号として出力する特徴をもつスクランブル装置の構成について示した概要図である。
【００４７】
図７は、前記のデスクランブル装置で、デスクランブル手段５１が、入力された受信信号をデスクランブルしてデスクランブル信号として出力する特徴をもち、さらに、当該受信信号中に、第１の信号パターンを検出した場合に、PN１検出信号を出力するPN1検出手段６２と、当該受信信号中に、第２の信号パターンを検出した場合に、PN２検出信号を出力するPN２検出手段６３と、当該受信信号中に、一定期間”0”連続を検出した場合に、”0”連続検出信号を出力する”0”連続検出手段４２と、”0”連続検出手段４２から入力された”0”連続検出信号と、PN１検出手段６２から入力されたPN１検出信号と、PN２検出手段６３から入力されたPN２検出信号の状態に応じて、当該受信信号と当該デスクランブル信号のいずれかを送信信号として出力する送信信号選択手段６１を備えたデスクランブル装置の構成について示した概要図である。
【００４８】
図８は、前記送信信号選択手段６１によって選択される、送信信号の状態遷移の例を示した状態遷移図である。
【００４９】
図８においては、第２の信号パターンが回線上に送信された場合、当該回線上に配置された全てのスクランブル装置、またはデスクランブル装置の信号処理が中止される。また、第１の信号パターンが回線上に送信された場合、当該回線上に配置された全てのスクランブル装置、またはデスクランブル装置の信号処理が開始される。第1の信号パターンと第２の信号パターン自体は、トランスペアレントに送信され、信号処理により信号パターンが変化してしまうことはない。
【００５０】
図９は、本願の障害判定システムを実現するデジタル信号パターン発生装置の構成について示した概要図である。第１の信号パターンを出力するPN１発生手段９１と、第２の信号パターンを出力するPN2発生手段９２と、転送選択信号、および前記デスクランブル装置から入力されたPN1検出信号、ないしはPN2検出信号の状態に応じて、PN１発生手段９１から入力された第１の信号パターンと、PN２発生手段９２から入力された第２の信号パターン、もしくは受信信号のいずれかを送信信号として出力する転送信号選択手段９３を備えた、デジタル信号パターン発生装置である。
【００５１】
このデジタル信号パターン発生装置を回線上に配置することにより、回線上に配置された前記スクランブル装置や前記でスクランブル装置の信号処理を中止、もしくは開始するための信号を回線に送信することが可能となる。
【実施例１】
【００５２】
図１０は、本願の障害判定システムにおいて、回線上の両方向の全てのスクランブル装置、およびデスクランブル装置の信号処理を中止、もしくは開始させる実施例の、本願のスクランブル装置、デスクランブル装置、およびデジタル信号パターン発生装置の配置について示した概要図である。１方向のデジタル信号パターン発生装置１０２は転送選択信号に応じて、第1の信号パターン、あるいは第2の信号パターンのいずれかの信号パターンを送信する。スクランブル装置１０３は当該信号パターンを検出し、信号処理を中止、もしくは開始する。当該信号パターン自体は当該スクランブル装置１０３によって信号処理されずに、次に回線上に配置されたスクランブル装置１０４に受信される。同様にスクランブル装置１０４、１０４と対向するデスクランブル装置１０５、および１０３と対向するデスクランブル装置１０６は、当該信号パターン検出後、信号パターンに応じて信号処理を中止、もしくは開始する。回線上の最もデータ受信端末１０７に近傍に配置されたデスクランブル装置１０６のPN1検出信号と、スクランブル装置１０６のPN2検出信号を、当該回線の逆方向に配置されたデジタル信号パターン発生装置１０９に入力し、当該PN1検出信号と、当該PN2信号の状態に応じて、第1の信号パターン、あるいは第2の信号パターンのいずれかの信号パターンを送信し、同様に順次スクランブル装置１１０、スクランブル装置１１１、１１１と対向するデスクランブル装置１１２、および１１０と対向するデスクランブル装置１１３の信号処理を、中止、もしくは再開させる。
【００５３】
図１０において、転送選択信号は、データ送信端末１０１を管理するユーザが回線試験の必要性を認めたとき、当該ユーザによって人為的手段によって入力されることが最も考えられる例である。各通信事業者に障害復旧を委ねるときなどに非常に有用であると考えられる。
【００５４】
前記スクランブル装置と前記デスクランブル装置に用いる多項式は、１方向においては、セット間で異なることが必要である。例えば１０３と１０６のスクランブル装置のセットが１＋X-2＋X-7＋X-8を用いる場合には、１０４と１０５のスクランブル装置のセットは、１＋X-3＋X-7＋X-8を用いるようにする。
【実施例２】
【００５５】
国際、及び長距離のデジタル回線においては、接続先事業者の情報が入手困難であり、本願がユーザ、及び通信事業者にとっても極めて有用である。
【実施例３】
【００５６】
通信事業者は本願を、従来の開通試験系の代用システムとすることが可能である。
【００５７】
すなわち、本願のスクランブル装置とデスクランブル装置間においては、スクランブル信号が送信されており、これは”0””1”の発生確率がほぼ等しいと言う点で、通信事業者が開通試験時に使用する擬似ランダムパターンの代用となりうる。
【００５８】
相互接続において、相互接続先事業者の開通予定などが不明で、長期に待機しなければならないときなどに、本願を従来の開通試験系の代用システムとすることは極めて有用な手段である。
【産業上の利用可能性】
【００５９】
本願により、デジタル回線のユーザが、帯域外の情報を必要とすることなく、各事業者の責任区間の障害を確認することが可能となるとともに、通信事業者であっても相互接続先事業者を含めた障害区間判定に適用可能である。特に国際、及び長距離のデジタル回線においては、相互接続が主流となって来ており、利用可能性が高い。近年のユーザ及び通信事業者の運用機能を飛躍的に高めるものであり、実用化が強く期待される。
【図面の簡単な説明】
【００６０】
【図１】本願の障害区間判定システムの障害区間判定方法を示した説明図である。
【図２】本願の障害区間判定システムにおけるスクランブラの構成例について示した概要図である。
【図３】本願の障害区間判定システムにおけるデスクランブラの構成例について示した概要図である。
【図４】本願のスクランブル装置の構成について示した概要図である。
【図５】本願のデスクランブル装置の構成について示した概要図である。
【図６】本願のスクランブル装置の構成について示した概要図である。
【図７】本願のデスクランブル装置の構成について示した概要図である。
【図８】本案のスクランブル装置、及びデスクランブル装置の送信信号選択手段における、送信信号の状態遷移について示した概要図である。
【図９】本願のデジタル信号パターン発生装置の構成に付いて示した概要図である。
【図１０】本願のスクランブル装置、デスクランブル装置、及びデジタル信号パターン発生装置の実施方法について示した概要図である。（実施例１）
【符号の説明】
【００６１】
１１  データ送信端末
１２  スクランブラ
１３  デスクランブラ
１４  データ受信端末
２１  排他的論理和演算子
２２  シフトレジスタ
４１  スクランブル手段
４２  “0”連続検出手段
４３  送信信号選択手段
５１  デスクランブル手段
５２  入力”1”連続検出手段
５３  出力”1”連続検出手段
６１  送信信号選択手段
６２  PN1検出手段
６３  PN2検出手段
９１  PN1発生手段
９２  PN2発生手段
９３  転送信号選択手段
１０１  データ送信端末
１０２  デジタル信号パターン発生装置
１０３  スクランブル装置
１０４  スクランブル装置
１０５  デスクランブル装置
１０６  デスクランブル装置
１０７  データ受信端末
１０８  デジタル信号パターン発生装置
１０９  スクランブル装置
１１０  スクランブル装置
１１１  デスクランブル装置
１１２  デスクランブル装置
【図１】
2005117607.tif 000003
【図２】
2005117607.tif 000004
【図３】
2005117607.tif 000005
【図４】
2005117607.tif 000006
【図５】
2005117607.tif 000007
【図６】
2005117607.tif 000008
【図７】
2005117607.tif 000009
【図８】
2005117607.tif 000010
【図９】
2005117607.tif 000011
【図１０】
2005117607.tif 000012